(57)【要約】【課題】使用者が支持部に力を掛けた状態においても、使用者の意図しない支持部の回動を防ぐことができる、且つ、使い勝手を向上させることができるトイレ用手摺装置を提供する。【解決手段】トイレルームの壁面に取り付けられる取付部と、取付部に対して回動自在に支持された支持部と、支持部に設けられ、支持部を水平方向に回動させる回動軸部と、支持部に設けられ、支持部の回動を所定の位置で自動的にロックさせるロック手段と、支持部の上面に設けられ、ロック手段によるロックを解除可能な操作部と、を備えた。【選択図】図３
2016022058.tif 000002
【特許請求の範囲】
【請求項１】
トイレルームの壁面に取り付けられる取付部と、
前記取付部に対して回動自在に支持された支持部と、
前記支持部に設けられ、前記支持部を水平方向に回動させる回動軸部と、
前記支持部に設けられ、前記支持部の回動を所定の位置で自動的にロックするロック手段と、
前記支持部の上面に設けられ、前記ロックを解除可能な操作部と、
を備えたトイレ用手摺装置。  
【請求項２】
前記ロック手段は、前記取付部に当接されることで前記回動をロックする当接部と、前記当接部を付勢し前記取付部に当接させる付勢部と、を有し、
前記操作部は、前記取付部から遠ざかる方向へ移動されることで、前記ロックを解除する
請求項１に記載のトイレ用手摺装置。  
【請求項３】
前記操作部は、前記支持部の上面に対して平行に移動することで、前記ロックを解除する
請求項１又は２に記載のトイレ用手摺装置。
【請求項４】
前記操作部は、レバー部を有し、
前記支持部は、板状に形成されたボード部を有し、
前記レバー部は、前記ボード部と前記取付部との間に設けられており、
前記レバー部と前記ボード部との間には間隙が設けられている
請求項１乃至３の何れか１項に記載のトイレ用手摺装置。
【請求項５】
前記操作部は、レバー部を有し、
前記レバー部と前記取付部との間には間隙が設けられている
請求項１乃至４の何れか１項に記載のトイレ用手摺装置。
【請求項６】
前記支持部は、前記ロックが解除されていることを報知する報知手段を有する
請求項１乃至５の何れか１項に記載のトイレ用手摺装置。
【請求項７】
大便器が設置された前記トイレルームに取り付けられるトイレ用手摺装置であって、
前記壁面は、前記大便器からみて側方に位置する前記トイレルームの横壁面であり、
前記回動軸部は、前記支持部を前記横壁面側から水平方向に回動させることで前記大便器の前方に前記支持部を移動させる
請求項１乃至６の何れか１項に記載のトイレ用手摺装置。
【発明の詳細な説明】
【技術分野】
【０００１】
本発明の態様は、トイレルームに入室した使用者の大便器使用動作を補助するトイレ用手摺装置に関する。
【背景技術】
【０００２】
近年、トイレルームに入室した使用者の大便器使用動作を補助するトイレ用手摺装置が広く普及している。
【０００３】
特許文献１では、大便器が設置された壁面に設けられた取付け板と、取付け板に対して回動する手摺り竿と、手摺り竿の上端に設けられ、手摺り竿の取付け板に対する回動をロックさせるレバーと、を備えた介助用手摺りが記載されている。
【０００４】
特許文献２では、洋式トイレの側方の壁面に設けられた支持ブラケットと、支持ブラケットに対して回動する肘掛と、を備えた肘掛装置が記載されている。この肘掛装置には、支持ブラケットに対する肘掛の回動を規制するロック機構が設けられている。使用者が肘掛を持ち上げることによって、ロック機構による規制を解除することができる。
【先行技術文献】
【特許文献】
【０００５】
【特許文献１】実開昭５８−７３１９８号公報
【特許文献２】特開２００７−１８５２６７公報
【発明の概要】
【発明が解決しようとする課題】
【０００６】
しかしながら、トイレ用手摺装置は、年配の方や車いす利用者など、足腰が不自由な使用者を対象にしている。そのような使用者が、特許文献１に記載された介助用手摺りにおいて、レバーによる手摺り竿の回動のロックが外れている状態で、手摺り竿に力を掛けると、手摺り竿が回動するおそれがある。手摺り竿が回動すると、使用者がバランスを崩す可能性がある。
【０００７】
一方、特許文献２に記載された肘掛装置においては、肘掛の支持ブラケットに対する回動を規制するロック機構が設けられているものの、ロック機構による規制を解除する動作即ち肘掛を持ち上げる動作においては、使用者が洋式トイレから立ち上がる際などに、肘掛に体がぶつかることで、誤ってロックによる規制が解除される場合があり、使い勝手が悪いという課題が存在していた。
【０００８】
本発明は、かかる課題の認識に基づいてなされたものであり、使用者が支持部に力を掛けた状態においても、使用者の意図しない支持部の回動を防ぐことができる、且つ、使い勝手を向上させることができるトイレ用手摺装置を提供することを目的とする。
【課題を解決するための手段】
【０００９】
第１の発明は、トイレルームの壁面に取り付けられる取付部と、前記取付部に対して回動自在に支持された支持部と、前記支持部に設けられ、前記支持部を水平方向に回動させる回動軸部と、前記支持部に設けられ、前記支持部の回動を所定の位置で自動的にロックするロック手段と、前記支持部の上面に設けられ、前記ロックを解除可能な操作部と、を備えたトイレ用手摺装置である。  
このトイレ用手摺装置によれば、支持部はロック手段によって自動的にロックされるため、使用者が意図しない支持部の移動を防ぐことができ、且つ、使用者は、支持部を把持した状態で操作部によってロック手段を操作できるため、使用者が支持部に力を掛けた状態においても、使用者の意図しない支持部の回動を防ぐことができ、且つ、使い勝手が良い。
【００１０】
第２の発明は、第１の発明において、前記ロック手段は、前記取付部に当接されることで前記回動をロックする当接部と、前記当接部を付勢し前記取付部に当接させる付勢部と、を有し、前記操作部は、前記取付部から遠ざかる方向へ移動されることで、前記ロックを解除するトイレ用手摺装置である。  
このトイレ用手摺装置によれば、操作部は、取付部から遠ざかる方向へ移動されることでロック手段によるロックを解除させるため、使用者の肘などが誤って操作部に当たってしまっても、ロックが解除されず、且つ、使用者が操作しない場合には、支持部の回動は常に付勢部によってロックが掛かっているため、使用者の意図せず支持部が動いてしまうことを防ぐことができる。
【００１１】
第３の発明は、第１又は２の発明において、前記操作部は、前記支持部の上面に対して平行に移動することで、前記ロックを解除するトイレ用手摺装置である。  
このトイレ用手摺装置によれば、操作部は、支持部の上面に対して平行に移動されることで、ロック手段によるロックを解除させるため、使用者が操作部に寄りかかることで操作部へ上方からの力が掛かってしまった場合にも、使用者は操作部を楽に操作することができ、より使い勝手が良い。
【００１２】
第４の発明は、第１乃至３の何れか１つの発明において、前記操作部は、レバー部を有し、前記支持部は、板状に形成されたボード部を有し、前記レバー部は、前記ボード部と前記取付部との間に設けられており、前記レバー部と前記ボード部との間には間隙が設けられているトイレ用手摺装置である。  
このトイレ用手摺装置によれば、レバー部とボード部との間には間隙が設けられているため、レバー部によってロック手段を操作する際に使用者の手が挟まれることがなく、使用者が安心してロック手段を操作することができる。
【００１３】
第５の発明は、第１乃至４の何れか１つにおいて、前記操作部は、レバー部を有し、前記レバー部と前記取付部との間には間隙が設けられているトイレ用手摺装置である。  
このトイレ用手摺装置によれば、レバー部と取付部との間には間隙が設けられているため、レバー部によってロック手段を操作する際に使用者の手が挟まれることがなく、使用者が安心してロック手段を操作することができる。
【００１４】
第６の発明は、第１乃至５の何れか１つの発明において、前記支持部は、前記ロックが解除されていることを報知する報知手段を有するトイレ用手摺装置である。  
このトイレ用手摺装置によれば、支持部には、ロック手段によるロックが解除されていることを報知する報知手段が設けられているため、使用者は報知手段によってロック手段によるロックが解除されていることがわかり、使用者は安心してトイレ用手摺装置を使用できる。
【００１５】
第７の発明は、第１乃至６の何れか１つの発明において、大便器が設置された前記トイレルームに取り付けられるトイレ用手摺装置であって、前記壁面は、前記大便器からみて側方に位置する前記トイレルームの横壁面であり、前記回動軸部は、前記支持部を前記横壁面側から水平方向に回動させることで前記大便器の前方に前記支持部を移動させるトイレ用手摺装置である。  
このトイレ用手摺装置によれば、使用者が車いす利用者などであっても、大便器への着座や立ち上がりを支持部によって支えながら行うことができ、使い勝手が良い。
【発明の効果】
【００１６】
本発明の態様によれば、使用者が支持部に力を掛けた状態においても、使用者の意図しない支持部の回動を防ぐことができる、且つ、使い勝手を向上させることができるトイレ用手摺装置が提供される。
【図面の簡単な説明】
【００１７】
【図１】本発明の一実施形態に係るトイレ用手摺装置が設置されたトイレルームを示す模式的斜視図である。
【図２】本発明の一実施形態に係るトイレ用手摺装置が設置されたトイレルームを示す模式的上面図である。
【図３】本発明の一実施形態に係るトイレ用手摺装置を示す模式的斜視図である。
【図４】図３のトイレ用手摺装置においてカバー部を外した状態を示す模式的斜視図である。
【図５】図３のトイレ用手摺装置を示す模式的側断面図である。
【図６】図４のトイレ用手摺装置を示す模式的分解図である。
【図７】図６のトイレ用手摺装置を示す模式的上面図である。
【図８】図３のトイレ用手摺装置を示す模式的上面図である。
【図９】図３のトイレ用手摺装置を示す模式的部分側面図である。
【図１０】本発明の一実施形態に係るトイレ用手摺装置を利用して大便器に着座する際の動作を例示する模式的平面図である。
【発明を実施するための形態】
【００１８】
以下、本発明の実施の形態について図面を参照しつつ説明する。なお、各図面中、同様の構成要素には同一の符号を付して詳細な説明は適宜省略する。  
【００１９】
（トイレ用手摺装置１の基本動作について）
図１は、本発明の一実施形態に係るトイレ用手摺装置が設置されたトイレルームを示す模式的斜視図である。  
図２は、本発明の一実施形態に係るトイレ用手摺装置が設置されたトイレルームを示す模式的上面図である。  
まず、図１及び図２を用いて、本発明の一実施形態に係るトイレ用手摺装置１の基本動作について説明する。
【００２０】
図１に示すように、トイレルーム１００には大便器２が設置されている。トイレ用手摺装置１は、大便器２に対するトイレルーム１００の横壁面１０１に設置されている。トイレルーム１００の横壁面１０１とは、大便器２からみて側方に位置する壁面をいう。トイレ用手摺装置１は、トイレルーム１００の横壁面に取り付けられる取付部４と、使用者を支持する支持部６と、を備える。支持部６は、取付部４に対して回動自在に支持されている。なお、図１（ａ）は、支持部６がトイレルーム１００の横壁面に最も近づいた状態を示す図である。図１（ｂ）は、支持部６が大便器２の前方に最も近づいた状態を示す図である。
【００２１】
図２に示すように、支持部６は取付部４に対して０〜７２度の範囲で、トイレルーム１００の床面に対して水平に回動することができる。また、支持部６は、後に詳述するロック動作によって、取付部４に対する回動を規制される。このロック動作によって、支持部６が大便器２の前方に最も近づいた状態での第一位置と、第一位置から２４度傾いた第二位置と、第一位置から４８度傾いた第三位置と、支持部６がトイレルーム１００の横壁面に最も近づいた状態、即ち第一位置から７２度傾いた第四位置と、の４つの位置において、支持部６は取付部４に対する回動を規制される。この規制は、後に詳述する操作部８の動作によって解除される。
【００２２】
（トイレ用手摺装置１の基本構成について）
図３は、本発明の一実施形態に係るトイレ用手摺装置を示す模式的斜視図である。  
図４は、図３のトイレ用手摺装置においてカバー部を外した状態を示す模式的斜視図である。  
図５は、図３のトイレ用手摺装置を示す模式的断面図である。
図３〜５を用いて、本発明の一実施形態に係るトイレ用手摺装置１の基本構成について説明する。
【００２３】
図３〜５に示すように、トイレ用手摺装置１は、上述した取付部４及び支持部６を備えている。支持部６は、取付部４と接続しており、取付部４に対する回動の軸となる金属製の回動軸部１０と、回動軸部１０を覆う樹脂製のカバー部１２と、回動軸部１０と接続している金属製の支柱部１４と、支柱部１４の上部に載置された樹脂製のボード部１６と、を有する。回動軸部１０は、円柱形状を有する。ボード部１６は、半月型の板形状であり、支持部６が第一位置、第二位置、及び第三位置のうちどの位置にある場合でも、大便器２に着座した使用者が把持しやすい形状となっている。
【００２４】
支柱部１４は、使用者が操作可能な操作部８と、金属製のロック手段２４と、を有する。操作部８は、支柱部１４の上面において、トイレ用手摺装置１の根元側、即ちボード部１６と取付部４との間に設けられている。この操作部８は、金属製の操作軸部１８と、樹脂製の操作カバー部２０と、を有する。操作軸部１８の一端側は、支柱部１４の内部に垂直に挿入されている。操作軸部１８の他端側は、支柱部１４の上面から突出し、操作カバー部２０により覆われている。操作カバー部２０は、図４におけるトイレ用手摺装置１の上方からみて、扁平形状の基部２１と、基部２１から上方へ突出したレバー部２３と、を有する。ロック手段２４は、支柱部１４の内部に設けられている。ロック手段２４は、取付部４に設けられた歯車形状の被嵌合部２２と当接することで、被嵌合部２２と嵌合する。操作部８、ロック手段２４の動作については、後に詳述する。
【００２５】
図３（ａ）は、使用者が操作部８を操作していない状態を表す図である。図３（ｂ）は、使用者が操作部８を取付部４から遠ざける方向、即ちボード部１６へ近づける方向へ動かした状態を表す図である。図３（ｂ）に示す、表示部２８の役割については、後に詳述する。
【００２６】
図４（ａ）及び（ｂ）に示すように、取付部４の上面に設けられた第一孔３０には、円柱形状のストッパー部材３２が挿入される。支持部６の回動時には、このストッパー部材３２が支持部６と当接されることで、図４におけるトイレ用手摺装置１の上方からみて、支持部６の反時計回りの回動量を制限する。図４（ｂ）に示すように、ストッパー部材３２は取付部４に対して着脱自在に設置されている。ストッパー部材３２が取付部４の上面に設けられた第二孔３４に挿入されることで、図４におけるトイレ用手摺装置１の上方からみて、支持部６の時計回りの回動量を制限する。
【００２７】
（トイレ用手摺装置１のロック動作について）
図６は、図４のトイレ用手摺装置を示す模式的分解図である。
図７は、図６のトイレ用手摺装置を示す模式的上面図である。
図６及び図７を用いて、トイレ用手摺装置１のロック動作について説明する。
【００２８】
図６及び図７に示すように、ロック手段２４は、被嵌合部２２と当接し、嵌合される２つの当接部３６と、ばね（付勢部）２６と、ばね２６によって取付部４へ近づく方向へ付勢されており、その上部には、操作軸部１８の一端側が挿入される挿入孔４０が設けられているロック手段本体部３８と、を有している。なお、ロック手段２４は金属製である。
ロック手段本体部３８は当接部３６を有し、ばね２６によって付勢されることによって、被嵌合部２２と当接して嵌合される。ロック手段本体部３８の上面には、操作軸部１８の一端側が挿入される挿入孔４０が設けられている。
【００２９】
図６（ａ）に示すように、使用者が操作部８を操作していない状態において、ロック手段本体部３８は、ばね２６によって取付部４へ近づく方向へ付勢される。この付勢力によって、当接部３６は、被嵌合部２２と当接し、嵌合される。当接部３６が被嵌合部２２に嵌合されることで、支柱部１４は、取付部４に対して固定される。これにより、支持部６の取付部４に対する回動が規制されているロック状態となる。
【００３０】
図６（ｂ）に示すように、使用者が操作部８を取付部４から遠ざける方向、即ちボード部１６へ近づける方向へ動かすことで、当接部３６は、被嵌合部２２と当接しなくなり、嵌合されなくなる。つまり、当接部３６と被嵌合部２２との間の嵌合状態が解除される。当接部３６が被嵌合部２２に嵌合されなくなることで、支柱部１４は、取付部４に対して移動可能となる。これにより、支持部６の取付部４に対する回動が規制されていない回動可能状態となる。
【００３１】
当接部３６及び被嵌合部２２は、カバー部１２によって覆われている。これにより、使用者が当接部３６及び被嵌合部２２と接触してしまうことを防ぎ、当接部３６及び被嵌合部２２の間に指などが挟まることを防ぐことができる。
【００３２】
図７に示すように、２つの半円柱形状の当接部３６において、それぞれの円周面は、歯車形状を有する被嵌合部２２に１８０度以上の角度で当接されている。そのため、図７における上下方向、即ちトイレルーム１００における水平方向成分の力が支持部６に掛かった場合には、当接部３６と被嵌合部２２との間に静止摩擦力が発生する。従って、トイレルーム１００における水平方向成分の力が支持部６に掛かった場合、取付部４から遠ざかる方向、即ちボード部１６へ近づく方向へ力が操作部８に加わっても、当接部３６は被嵌合部２２との当接及び嵌合状態を解除できない。これにより、操作部８は動かない。つまり、トイレルーム１００における水平方向成分の力が支持部６に掛かった際には、支持部６の取付部４に対する回動の規制を解除できず、ロック状態を維持したままとなる。これによれば、トイレルーム１００における水平方向成分の力が支持部６に掛かった状態で、支持部６のロック状態を解除した際に、ロック状態を解除した瞬間に支持部６が回動して、使用者がバランスを崩したり、転倒することを防ぐことができる。
【００３３】
（トイレ用手摺装置１のその他の説明について）
図８は、図３のトイレ用手摺装置を示す模式的上面図である。  
図９は、図３のトイレ用手摺装置を示す模式的部分側面図である。  
図８及び図９を用いて、トイレ用手摺装置１についてさらに説明する。
【００３４】
図８（ａ）は、使用者がレバー部２３、即ち操作部８を操作しておらず、支持部６がロック状態を維持したままの状態を示している。この状態において、取付部４とレバー部２３との間には、距離Ａの間隙が設けられている。この距離Ａは使用者の指が挟まらない程度の長さであり、具体的には３ｃｍ以上が好ましい。これによれば、支持部６が回動可能状態からロック状態へ移行し、レバー部２３が取付部４へ近づく方向へ移動した際に、使用者の指が取付部４とレバー部２３との間に挟まることを防ぐことができる。そのため、使用者はより快適にトイレ用手摺装置１を利用することができる。
【００３５】
図８（ｂ）は、使用者がレバー部２３、即ち操作部８を操作することで、支持部６のロック状態を解除した状態、即ち支持部６の回動可能状態を示している。この状態において、ボード部１６とレバー部２３との間には、距離Ｂの間隙が設けられている。この距離Ｂは距離Ａと同様に使用者の指が挟まらない程度の長さであり、具体的には３ｃｍ以上が好ましい。これによれば、支持部６がロック状態から回動可能状態へ移行し、レバー部２３がボード部１６へ近づく方向へ移動した際に、使用者の指がボード部１６とレバー部２３との間に挟まることを防ぐことができる。そのため、使用者はより快適にトイレ用手摺装置１を利用することができる。
【００３６】
図８（ｂ）に示すように、支持部６が回動可能状態にある場合には、使用者は支柱部１４の上面に設けられた報知手段としての表示部２８を視認することができる。表示部２８は、操作部８及び支柱部１４とは異なる色によって、配色されている。このため、使用者は、支持部６が回動可能であることを、表示部２８によって目視で認識することができる。この表示部２８は、支持部６がロック状態にある場合には、操作カバー部２０によって覆われている。そのため、支持部６がロック状態にある場合には、使用者は表示部２８を視認できない。これによれば、支持部６が第一位置、第二位置、第三位置、及び第四位置以外の位置にある場合など、支持部６が回動可能状態であることを、使用者は認識することができる。これにより、使用者が誤って支持部６に力を掛けてしまい、バランスを崩したり、転倒してしまうことを防ぐことができる。従って、使用者は安心してトイレ用手摺装置１を使用することができる。
【００３７】
図９（ａ）は、使用者が操作部８を操作しておらず、支持部６がロック状態を維持したままの状態を示している。図９（ｂ）は、使用者が操作部８を操作することで、支持部６のロック状態を解除した状態、即ち支持部６の回動可能状態を示している。操作部８が、ボード部１６に近づく方向に、支柱部１４の上面に対して平行に移動することで、支持部６は、ロック状態から回動可能状態へ移行する。これによれば、使用者が操作部８に寄りかかることで操作部８へ上方からの力が掛かった場合にも、操作部８を楽に操作することができ、使い勝手が良い。
【００３８】
（トイレ用手摺装置１の使用例について）
図１０は、本発明の一実施形態に係るトイレ用手摺装置を利用して使用者が大便器に着座する際の動作を例示する模式的平面図である。  
図１０を用いて、トイレ用手摺装置１の使用例について説明する。
【００３９】
使用者がトイレ用手摺装置１を利用して大便器２に着座する際には、第三位置又は第四位置にある支持部６に掴まりながら、腕の力で体重を支えつつ、徐々に大便器２へ近づくように移動して、大便器２に着座する。その際に、使用者は大便器２の後方へ移動することとなるため、第三位置又は第四位置にある支持部６を掴んでいると、徐々に腕が伸びた状態になり、力を入れづらくなることがある。これに対して、本実施形態にかかるトイレ用手摺装置１では、使用者は操作部８を操作することで、支持部６のロック状態を解除して回動可能状態に移行させ、支持部６を第一位置又は第二位置に移動させることで、大便器２に着座する際に、腕に力を入れやすくすることができる。従って、使用者がトイレ用手摺装置１を利用して大便器２に着座する際には、安定した腕の力で体重を支えつつ、大便器２に着座することができる。
【００４０】
使用者が大便器２に着座した際には、使用者の体型や好みに合わせて、支持部６を第一位置又は第二位置で固定させる。これによれば、使用者は支持部６に掴まりながら用を足すことができるため、排便時に腹部に力を込めやすくなり、楽に排便することができる。
【００４１】
以上のことより、本実施形態によれば、支持部６はロック手段２４によって自動的にロックされる。そのため、使用者が意図しない支持部６の移動を防ぐことができ、且つ、使用者は、支持部６を把持した状態で操作部８によってロック手段２４を操作できる。そのため、使用者が支持部６に力を掛けた状態においても、使用者の意図しない支持部６の回動を防ぐことができ、且つ使い勝手が良いトイレ用手摺装置１を提供できる。
【００４２】
（変形例について）
以上、本発明の一実施形態について説明した。しかし、本発明はこれらの記述に限定されるものではない。
【００４３】
本発明の一実施形態において、支持部６は取付部４に対して０〜７２度の範囲で回動する場合を例示したが、それに限らず、支持部６は取付部４に対して例えば０〜１８０度の範囲で回動しても良い。また、第一位置、第二位置、第三位置、及び第四位置の４つの位置において、支持部６の取付部４に対する回動を規制させる場合を例示したが、それに限らず、１つ以上の位置において、支持部６の取付部４に対する回動を規制させれば良い。また、第一位置、第二位置、第三位置、及び第四位置の４つの位置以外の位置において、支持部６は取付部４に対する回動を規制されても良い。
【００４４】
本発明の一実施形態において、ばね２６を付勢手段として用いたが、それに限らず、例えばゴムなどの弾性部材であっても良い。
【００４５】
本発明の一実施形態において、ロック手段２４は、付勢手段であるばね２６によって付勢されることで、支持部６の取付部４に対する回動が規制されるロック状態となるが、それに限らず、電気的な機構によって、使用者が操作部８を操作しない限り、支持部６の取付部４に対する回動が規制されても良い。
【００４６】
本発明の一実施形態において、使用者は、支柱部１４の上面に設けられた報知手段としての表示部２８の配色を視認することで、支持部６が回動可能状態であることを認識できるが、それに限らず、表示部２８の形状などを視認することで、支持部６が回動可能状態であることを認識できるものであっても良い。また、使用者は表示部２８を視認することで、支持部６が回動可能状態であることを認識できるが、それに限らず、トイレ用手摺装置１は、支持部６が回動可能状態にある場合に、音、光、匂いなどで、支持部６が回動可能状態であることを報知しても良い。
【００４７】
前述の実施の形態に関して、当業者が適宜設計変更を加えたものも、本発明の特徴を備えている限り、本発明の範囲に包含される。例えば、トイレ用手摺装置１などが備える各要素の形状、寸法、材質、配置などやトイレ用手摺装置１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１ トイレ用手摺装置、  ２ 大便器、  ４ 取付部、  ６ 支持部、  ８ 操作部、  １０ 回動軸部、  １２ カバー部、  １４ 支柱部、  １６ ボード部、  １８ 操作軸部、  ２０ 操作カバー部、  ２１ 基部、  ２２ 被嵌合部、  ２３ レバー部、  ２４ ロック手段、  ２６ ばね（付勢部）、  ２８ 表示部（報知手段）、  ３０ 第一孔、  ３２ ストッパー部材、  ３４ 第二孔、  ３６ 当接部、  ３８ ロック手段本体部、  ４０ 挿入孔、  １００ トイレルーム、  １０１ 横壁面
【図１】
2016022058.tif 000003
【図２】
2016022058.tif 000004
【図３】
2016022058.tif 000005
【図４】
2016022058.tif 000006
【図５】
2016022058.tif 000007
【図６】
2016022058.tif 000008
【図７】
2016022058.tif 000009
【図８】
2016022058.tif 000010
【図９】
2016022058.tif 000011
【図１０】
2016022058.tif 000012